(57)【要約】【課題】  細長い棒状の柄の基材（非装着体）と熱収縮性フィルムの密着性を高め剥離しにくく、軽量化を図り、前記熱収縮性フィルムの長さ方向の長さを９００ミリメール以上にできる意匠性に優れた柄の装飾用表面処理を提供すること。【解決手段】  細長い棒状の表面を装飾する表面処理において、前記細長い棒状の柄（２）の基材（５）に、溶液（６）を塗布した後、熱収縮性フィルム（７）を貼付け、前記熱収縮性フィルムの表面にＴＯＰコート（８）を塗布して表面処理を行い、前記溶液は、ナノ粒子からなり、密着剤としてのプライマー効果を有し、前記柄の基材から前記熱収縮性フィルムの剥離を防止するようにした。【選択図】図５
2019199073.tif 000002
【特許請求の範囲】
【請求項１】
細長い棒状の表面を装飾する表面処理において、
前記細長い棒状の柄（２）の基材（５）に、溶液（６）を塗布した後、熱収縮性フィルム（７）を貼付け、前記熱収縮性フィルムの表面にＴＯＰコート（８）を塗布して表面処理を行い、
前記溶液は、ナノ粒子からなり、密着剤としてのプライマー効果を有し、
前記柄の基材から前記熱収縮性フィルムの剥離を防止することを特徴とする柄の装飾用表面処理。
【請求項２】
前記柄は、運動用具の柄、杖の柄であることを特徴とする請求項１に記載の柄の装飾用表面処理。
【請求項３】
前記溶液は、その粒子を１〜３マイクロメートルとすることを特徴とする請求項１に記載の柄の装飾用表面処理。
【請求項４】
前記熱収縮性フィルムは、その長さ方向の長さを９００ミリメートル以上にすることができることを特徴とする請求項１に記載の柄の装飾用表面処理。
【発明の詳細な説明】
【技術分野】
【０００１】  本発明は、主に運動用具の柄、杖の柄の表面処理に関する。
【背景技術】
【０００２】  運動用具の柄（ゴルフクラブのシャフト（柄）、スキーストックの柄、野球バットの柄、テニスラケットの柄、バドミントンラケットの柄、クリケットラケットの柄）及び杖の柄の表面処理は、塗装が施されているか、または素材にＴＯＰコートを施すのが一般的である。このような塗装には種々問題がある。
例えば、柄の部分が、金属製であった場合、防錆を考慮しなければならず、木製・炭素繊維製の場合は塗料の浸透性を考慮しなければならなかったりする。
金属製、木製・炭素繊維製いずれの素材にしても、軽量化は必須であり、塗料の軽量化は難しく塗装には大きな課題があった。【０００３】  このような問題を解決するべく、特許文献１には、熱収縮チューブを様々な柄（釣り竿、ゴルフクラブ、乳母車、工具類などのスベリ止め用柄（グリップ部材）、および、事務機の紙送りロールなどの分野）に取り付ける技術が開示されている。【０００４】  しかし、上記の柄に熱収縮チューブを装着させた場合、剥離することを考慮すると、十分に密着力を高めることは困難であった。【０００５】  同様に、柄の部分の一部を装飾する技術として、特許文献２には、スクリーン印刷により装飾する技術が開示されている。しかし、このスクリーン印刷では塗装する層が多く、それによる印刷の工数が増える。特許文献２には記載されていないが、一般的なスクリーン印刷の塗装層は、図５の左側の図に示す如く、下地層、着色層１、クリヤー層、転写フィルム、クリヤー層、スクリーン印刷、クリヤー層（ＴＯＰコート）と非常に多くの塗装工程が行われなければならず、軽量化を図ることは困難である。【０００６】  また、印刷工程が多いためコストを低減することも困難であった。さらに図６の上方の図に示す如く、スクリーン印刷の長さ方向の長さを２５０ミリメール程度までにしかできず、広い範囲に装飾をすることができなかった。【０００７】
【先行技術文献】
【特許文献】
【０００８】
【特許文献１】特開平５−４２７８号公報
【特許文献２】特開平１１−２０６９３７号公報
【発明の概要】
【発明が解決しようとする課題】
【０００９】  本発明は、上述の問題を解決するものであり、細長い棒状の柄の基材（非装着体）と熱収縮性フィルムの密着性を高め剥離しにくく、軽量化を図り、前記熱収縮性フィルムの長さ方向の長さを９００ミリメール以上にできる意匠性に優れた柄の装飾用表面処理を提供するものである。
【課題を解決するための手段】
【００１０】  本発明の細長い棒状の表面を装飾する表面処理は、細長い棒状の柄の基材に熱収縮性フィルムを貼付ける表面処理において、前記柄の基材に溶液を塗布した後、熱収縮性フィルムを貼付け、前記熱収縮性フィルムの表面にＴＯＰコートを塗布して表面処理を行い、前記溶液は、ナノ粒子からなり、密着剤としてのプライマー効果を有し、前記柄の基材から前記熱収縮性フィルムを剥離しにくくすることを特徴としている。【００１１】  また、前記柄は、運動用具の柄、杖の柄であることを特徴としている。【００１２】  さらに、前記溶液は、その粒子を１〜３マイクロメートルとすることを特徴としている。【００１３】  また、前記熱収縮性フィルムは、その長さ方向の長さを９００ミリメートル以上にすることができることを特徴としている。
【発明の効果】
【００１４】  本発明の細長い棒状の表面を装飾する表面処理は、細長い棒状の柄の基材に熱収縮性フィルムを貼付ける表面処理において、前記柄の基材に溶液を塗布した後、熱収縮性フィルムを貼付け、前記熱収縮性フィルムの表面にＴＯＰコートを塗布して表面処理を行い、前記溶液は、ナノ粒子からなり、密着剤としてのプライマー効果を有し、前記柄の基材から前記熱収縮性フィルムを剥離しにくくすることにより、柄の基材（非装着体）と熱収縮性フィルムの密着性を高め、軽量化を図り、意匠性に優れ、コストも低減することができる。さらにメッキ塗装を行わないため、環境にもやさしい。【００１５】  また、前記柄を運動用具の柄、杖の柄を対象とすることにより、軽量化の効果が向上する。【００１６】  さらに、前記溶液は、その粒子を１〜３マイクロメートルとすることにより、より密着性を高め、軽量化を図ることができる。【００１７】  また、前記熱収縮性フィルムは、その長さ方向の長さを９００ミリメートル以上にすることにより、広い範囲において装飾することができる。
【図面の簡単な説明】
【００１８】
【図１】ゴルフクラブの構成を示した正面図
【図２】シャフトの断面を記載した説明図
【図３】シャフト基材に本発明の実施形態である溶液を塗布した状態を示した説明図
【図４】シャフト基材に熱収縮性フィルムを被せた状態と加熱した状態を示した説明図
【図５】一般的なスクリーン印刷の工程と本実施の形態の装飾用表面処理の階層を示した説明図
【図６】一般的なスクリーン印刷の長さ方向の幅と熱収縮性フィルムの幅を示した説明図
【発明を実施するための形態】
【００１９】  以下、本発明を実施するための最良の形態を、図面を参照して説明する。細長い棒状の柄としての運動用具の柄を、ゴルフクラブ１のシャフト２を一例として説明をする。図１はゴルフクラブ１を示す正面図である。
図１の如く、前記ゴルフクラブ１の主要部は、シャフト２、グリップ３及びクラブヘッド４で構成されている。
前記シャフト２の材質は、主にカーボンとスチールとに分類されており、本発明の実施の形態のシャフトはカーボン製である。
【００２０】  前記シャフト２の表面処理について説明する。
図２は前記シャフト２の断面を記載した説明図であり、カーボン製のシャフト基材５に、階層状に装飾用の表面処理が施されている。図２の如く、前記シャフト２は環状をなし、シャフト基材５の表面にプライマー効果を有する溶液６が塗布されている。
【００２１】  前記溶液６は、２〜３ナノメートルのナノ粒子からなり、密着剤としての塗装時のプライマー効果を有している。本実施の形態では、前記溶液６の成分をトルエン、キシレン、エチルベンゼン及びその他で構成しているが、これに限定されるものではない。
【００２２】  本実施の形態の前記シャフト基材５は、カーボン製であるため、さほど有益にはならないが、前記溶液６は、防錆剤としての防錆効果を有しているため、前記シャフト基材５がスチール製であった場合、より効果的である。
【００２３】  図３は、前記シャフト基材５に本発明の実施形態である前記溶液６を塗布した状態を示した説明図である。図３の如く、前記シャフト基材５の表面は、拡大して見ると凹凸があり、必ずしも平坦な状態にはなっていない。前記溶液６の塗布の厚みをｔとした場合、前記溶液６はナノ粒子からなるため、前記シャフト基材５の凹部にも粒子が入り込むことができ、前記溶液６の塗布は凹凸に影響されず、ほぼ均一的に塗布することができる。よって、前記溶液６の厚みは薄く、また前記溶液６は１回の塗布で済むため、図３のｔの厚みは５マイクロメートル程度になっている。一般的な塗装の厚みは、１０マイクロメートルから２０マイクロメートルであるため、前記溶液６は非常に薄く塗布されていることがわかる。
【００２４】  前記溶液６の図中外側には、熱収縮性フィルム７が貼付けられている。前記熱収縮性フィルム７は、本実施の形態では、一般的な熱収縮性フィルムが使用されている。図４の如く、前記溶剤６が塗布された前記シャフト基材５に前記熱収縮性フィルム７を被せる。そして、前記熱収縮性フィルム７に加熱すると、前記熱収縮性フィルム７は収縮し、前記シャフト基材５に密着する。
【００２５】  図２の如く、前記熱収縮性フィルム７のさらに外側には、前記熱収縮性フィルム７の剥離を保護するＴＯＰコート８が塗布されている。前記ＴＯＰコート８は、本実施の形態では、一般的なＴＯＰコートが使用されている。このように、上述した本発明の装飾用の表面処理は、図５の如く、図中左側の図と右側の図との比較から明らかなように、一般的なスクリーン印刷よりも、非常に少ない工程で行えるため、軽量化を図れ、コストも低減することができる。
【００２６】  また、一般的な熱収縮性フィルムを貼付けるよりも、前記溶液６を塗布したことにより、前記シャフト基材５に塗布した溶液６の密着力により、前記シャフト基材５に強力に前記熱収縮性フィルム７を密着することができ、前記熱収縮性フィルム７が剥離しにくくなる。
【００２７】  なお、図６の如く、本発明の装飾用の表面処理を行うことにより、前記熱収縮性フィルム７を長さ方向の長さを９００ミリメートル以上にすることにより、広い範囲において装飾することができる。すなわち、２５０ミリメートル程度しか印刷することができない一般的なスクリーン印刷では、装飾用の表面処理の幅が制限されるか、もしくは、２５０ミリメートルを越える幅に装飾用の表面処理を行おうとすると、複数のスクリーン印刷を使用することになる。
【００２８】  このように、本発明の細長い棒状の表面を装飾する表面処理は、前記シャフト基材５に溶液６を塗布した後、前記熱収縮性フィルム７を貼付け、前記熱収縮性フィルム７の表面にＴＯＰコート８を塗布して表面処理を行い、前記溶液６は、ナノ粒子からなり、密着剤としてのプライマー効果を有し、前記シャフト基材５から前記熱収縮性フィルム７を剥離しにくくすることにより、前記シャフト基材５と前記熱収縮性フィルム７の密着性を高めつつ、軽量化を図ることができ、意匠性にも優れ、コストも低減することができる。また、前記熱収縮性フィルム７は、その長さ方向の長さを９００ミリメートル以上にすることができ、広い範囲において装飾することができる。
【００２９】  なお、本実施の形態では、細長い棒状の柄を、ゴルフクラブのシャフトとしたが、これに限定されるものではなく、運動用具の柄として、スキーストックの柄、野球バットの柄、テニスラケットの柄、バドミントンラケットの柄、クリケットラケットの柄及び杖の柄であってもよい。
【符号の説明】
【００３０】２          シャフト（細長い棒状の柄）
５          シャフト基材（基材）
６          溶液
７          熱収縮性フィルム
８          ＴＯＰコート
【図１】
2019199073.tif 000003
【図２】
2019199073.tif 000004
【図３】
2019199073.tif 000005
【図４】
2019199073.tif 000006
【図５】
2019199073.tif 000007
【図６】
2019199073.tif 000008